(57)【要約】  内槽（１）および外槽（２）を備え、内槽（１）の底部または側壁に内槽排水孔（１１）が開設され、内槽排水孔（１１）に排水弁（３）が設けられ、外槽（２）に、排水弁（３）の弁体（３１）を押すための動力装置（４）および外槽排水孔（２１）が設けられ、排水弁（３）の外槽（２）に接近する端に、排水スイッチ（５）が設けられ、動力装置（４）の延出軸（４１）は延出して排水スイッチ（５）にタッチして排水弁（３）を開閉する洗濯機。【選択図】図１
2020513949.tif 000002
【特許請求の範囲】
【請求項１】
内槽（１）および外槽（２）を備え、前記内槽（１）の底部または側壁に内槽排水孔（１１）が開設され、前記内槽排水孔（１１）に排水弁（３）が設けられ、前記外槽（２）に、前記排水弁（３）の弁体（３１）を押すための動力装置（４）および外槽排水孔（２１）が設けられ、前記排水弁（３）の前記外槽（２）に接近する端に、排水スイッチ（５）が設けられ、前記動力装置（４）の延出軸（４１）は延出して前記排水スイッチ（５）にタッチして前記排水弁（３）を開閉する、洗濯機。
【請求項２】
前記排水スイッチ（５）は、スイッチハウジング（５１）およびボタン本体（５２）を備え、前記ボタン本体（５２）は、タッチ部（５３）と、ボタン本体（５２）の前記排水弁（３）に接近する端に設けられ、前記排水弁（３）の弁体（３１）を押して内槽（１）方向へ移動させるように構成される押し柱とを備える、請求項１に記載の洗濯機。
【請求項３】
前記タッチ部（５３）は、作動部（５３１）および凹部（５３２）を含み、前記押し柱（５２１）と前記凹部（５３２）とは前記排水スイッチ（５）の同じ側に設けられる、請求項２に記載の洗濯機。
【請求項４】
前記排水弁（３）は、弁ハウジング（３２）と、弁ハウジング（３２）内に設けられた弁体（３１）と、ばね（３３）とを備え、前記弁体（３１）の側壁に密封溝（３１１）が設けられ、前記密封溝（３１１）内にシールリング（６）が設けられ、前記弁体（３１）の頂部は前記ばね（３３）の第１の端に当接され、前記ばね（３３）の第２の端は前記弁ハウジング（３２）の内槽排水孔（１１）に接近する端に当接される、請求項１から３のいずれか１項に記載の洗濯機。
【請求項５】
前記シールリング（６）はＯリングであり、前記弁ハウジング（３２）の内側壁は、前記シールリング（６）に対応した第３の傾斜側壁（３２１）である、請求項４に記載の洗濯機。
【請求項６】
前記シールリング（６）の前記弁ハウジング（３２）に接触する側壁は円弧状であり、前記弁ハウジング（３２）の内側壁は、前記シールリング（６）の円弧状側壁に対応した第３の傾斜側壁（３２１）である、請求項４に記載の洗濯機。
【請求項７】
前記押し柱（５２１）および弁体（３１）の下部または弁体（３１）全体は磁性材料で作製され、前記押し柱（５２１）の弁体（３１）に接近する側は、前記弁体（３１）の前記押し柱（５２１）に接近する側と極性が逆である、請求項２に記載の洗濯機。
【請求項８】
前記スイッチハウジング（５１）の側壁に流水孔（５１１）が更に設けられる、請求項２に記載の洗濯機。
【請求項９】
前記動力装置（４）はリニアアクチュエータである、請求項１に記載の洗濯機。
【請求項１０】
該洗濯機はパルセータ式洗濯機またはドラム式洗濯機である、請求項１に記載の洗濯機。
【発明の詳細な説明】
【技術分野】
【０００１】
本発明は、家電機器の技術分野に関し、例えば、洗濯機に関する。
【背景技術】
【０００２】
関連技術における洗濯機は、ドラム式洗濯機であってもパルセータ式洗濯機であっても、内槽に複数の孔が開設されている。注水、洗濯の過程において、内槽内の水はこれらの孔を介して外槽と内槽とで形成された空間内に流入し、洗濯水に汚れ、洗剤等が含有するため、さらに、上記孔が洗濯過程において閉じられないため、洗濯時に、洗濯水が内槽の外壁と外槽の内壁とで形成された空間内で往復して回転すると、汚れ、洗剤は内槽の外壁および外槽の内壁に残り、長期間使用すると、汚れ、洗剤は貯留する。ユーザは内槽の外壁と外槽の内壁とで形成された空間を自ら清掃することができないため、洗濯後に湿気が多く、細菌の繁殖に必要な条件を提供する。それと同時に、注水時に、正常に動作するために該空間内に内槽と同じ高さの水位を注入する必要があるが、該空間内の水は、洗濯過程において洗濯作用が大きくないことが多く、一定の程度で水の無駄遣いになってしまう。
【発明の概要】
【発明が解決しようとする課題】
【０００３】
本発明は、洗濯過程において水が内槽の外壁と外槽の内壁とで形成された空間内に入らないとともに、洗濯後に洗濯機から水を正常に排出することができ、水の無駄遣いにならない洗濯機を提供する。
【課題を解決するための手段】
【０００４】
内槽および外槽を備え、前記内槽の底部または側壁に内槽排水孔が開設され、前記内槽排水孔に排水弁が設けられ、前記外槽に、前記排水弁の弁体を押すための動力装置および外槽排水孔が設けられ、前記排水弁の前記外槽に接近する端に、排水スイッチが設けられ、前記動力装置の延出軸は延出して前記排水スイッチにタッチして前記排水弁を開閉する洗濯機。
【０００５】
内槽に１つのみの内槽排水孔が設けられ、且つ、内槽排水孔に排水弁が設けられるため、排水弁が閉じられた場合、内槽内の水は外槽に流入することができず、更に、汚れ、洗剤等が内、外槽壁に残ることを回避し、細菌の増殖を防止することができる。それと同時に、内槽内の水が外槽に流入することができず、洗濯用の水量を効果的に減少し、水資源を節約することができる。動力装置の延出軸が排水スイッチにタッチすると排水弁を開閉することができるため、排水弁と動力装置とは連結関係がなくてもよく、排水弁を位置決めしなくても排水弁の開閉を実現できる。外槽排水孔が外槽の底部に設けられるため、排水弁を通過した水は外槽の底部に集まり、内槽と外槽とで形成された空間内に充満して汚れを槽壁に堆積させるという問題がなく、洗濯過程において内槽と外槽との間に水がないため、内槽１内の水は外槽の底部に堆積された汚れにより汚染されない。
【０００６】
一実施例において、前記排水スイッチは、スイッチハウジングおよびボタン本体を備え、前記ボタン本体は、タッチ部と、ボタン本体の前記排水弁に接近する端に設けられ、前記排水弁の弁体を押して内槽方向へ移動させるように構成される押し柱とを備える。
【０００７】
排水スイッチに、動力装置の延出軸を排水スイッチに接触させることができるタッチ部が設けられるとともに、ボタン本体に、延出軸をタッチ部にタッチさせてタッチ部を押すことによってタッチ部の位置状態を変化させることができ、更に押し柱を駆動して弁体を押して内槽と外槽とを連通することにより、内槽内の水を排出する押し柱が設けられる。
【０００８】
一実施例において、前記タッチ部は、作動部および凹部を含み、前記押し柱と前記凹部とは前記排水スイッチの同じ側に設けられる。
【０００９】
作動部とは、延出軸に直接接触する部分であり、凹部とは、作動部が延出軸によって押されて排水弁の逆方向へ移動する部分であり、押し柱と凹部とが排水スイッチの同じ側に位置することで、押し柱がボタン本体に伴って移動して排水スイッチを正常に動作させることが確保できる。
【００１０】
一実施例において、前記排水弁は、弁ハウジングと、弁ハウジング内に設けられる弁体と、ばねとを備え、前記弁体の側壁に密封溝が設けられ、前記密封溝内にシールリングが設けられ、前記弁体の頂部は前記ばねの第１の端に当接され、前記ばねの第２の端は前記弁ハウジングの内槽排水孔に接近する端に当接される。
【００１１】
このような構造により、排水弁が逆止弁であり、更に、外槽と内槽とで形成された空間内に水溜まりが存在する場合、水溜まりが内槽内に逆流するという問題がないことが確保される。それと同時に、弁体が上下に移動できることは確保され、且つ、弁体が閉じられた時に元の状態に戻られることは確保される。
【００１２】
一実施例において、前記シールリングはＯリングであり、前記弁ハウジングの内側壁は、前記シールリングに対応した第３の傾斜側壁である。
【００１３】
第３の傾斜側壁は、排水弁内の良好な密封性を確保し、該第３の傾斜側壁とＯリングとを良好に嵌合させることにより、洗濯過程において洗濯水が外槽から勝手に流出して洗濯に影響を与えることを防止するために設けられる。シールリングはＯリングであり、排水弁が閉じられた時、シールリングは押圧されて変形し、シールリングの外側の弁ハウジングに接触する部分が良好に密封され、水漏れの問題が生じない。
【００１４】
一実施例において、前記シールリングの前記弁ハウジングに接触する側壁は円弧状であり、前記弁ハウジングの内側壁は、前記シールリングの円弧状側壁に対応した第３の傾斜側壁である。
【００１５】
シールリングの弁ハウジングに接触する側壁を円弧状構造に設置することにより、該シールリングは排水弁が閉じられた時に押圧されて変形し、該シールリングの側壁と弁ハウジングの第３の傾斜側壁とを完全に密着させ、良好な密封性を保持することができる。
【００１６】
一実施例において、前記押し柱および弁体の下部または弁体全体は磁性材料で作製され、前記押し柱の弁体に接近する側は、前記弁体の前記押し柱に接近する側と極性が逆である。
【００１７】
押し柱および弁体の下部または弁体全体が磁性材料で作製されることにより、押し柱が弁体をより良く押し開け、且つ、凹部がより確実に凹むことができ、動力装置の電源が切断されて延出軸が復帰しても、排水弁による排水を依然として確保することができ、排水に必要な使用電力量を大幅に節約することができる。
【００１８】
一実施例において、前記スイッチハウジングの側壁に流水孔が更に設けられる。
【００１９】
一実施例において、前記動力装置はリニアアクチュエータである。
【００２０】
一実施例において、前記内槽に、最高水位線の上方に脱水孔が更に設けられる。
【００２１】
一実施例において、該洗濯機はパルセータ式洗濯機またはドラム式洗濯機である。
【図面の簡単な説明】
【００２２】
【図１】実施例１に係る洗濯機の構造模式図である。
【図２】図１におけるＡ箇所の部分拡大図である。
【図３】実施例１に係る排水スイッチの構造模式図である。
【図４】実施例１に係る排水スイッチが閉じられた場合の構造模式図である。
【図５】実施例１に係る排水スイッチが開かれた構造模式図である。
【図６】実施例１に係る弁体の構造模式図である。
【図７】実施例１に係る洗濯機内のシールリングの外側壁が円弧状構造である構造模式図である。
【図８】実施例２に係る洗濯機の構造模式図である。
【図９】図８におけるＢ箇所の部分拡大図である。
【符号の説明】
【００２３】
１        内槽
１１      内槽排水孔
１２      脱水孔
２        外槽
２１      外槽排水孔
３        排水弁
３１      弁体
３１１    密封溝
３２      弁ハウジング
３２１    第３の傾斜側壁
３２２    ストップリング
３３      ばね
４        動力装置
４１      延出軸
５        排水スイッチ
５１      スイッチハウジング
５１１    流水孔
５２      ボタン本体
５２１    押し柱
５３      タッチ部
５３１    作動部
５３２    凹部
６        シールリング
７        洗濯機ハウジング
７１      ディスクベース
７２      上蓋
７３      シャーシ
７４      支持脚
８        パルセータ
８１      回転モータ
９        リントフィルタ
１０      排水管
【発明を実施するための形態】
【００２４】
洗濯過程において水が内槽の外壁と外槽の内壁とで形成された空間内に入らないようにすることができるとともに、洗濯後に洗濯機から水を正常に排出することができ、水の無駄遣いにならない洗濯機の提供は、当業者が解決すべき技術的課題である。
【００２５】
実施例１
本実施例において、内槽１および外槽２を備える洗濯機を提供し、図１、図２および図５に示すように、内槽１の底部に内槽排水孔１１が開設され、内槽排水孔１１に排水弁３が設けられ、外槽２に、排水弁３の弁体３１を押すための動力装置４および外槽排水孔２１が設けられ、排水孔２１と排水管１０とが連通して水を洗濯機ハウジング７の外に排出するために使用され、ここで、外槽排水孔２１は外槽１の底部に位置して汚水を排出するために使用され、排水弁３の外槽２に接近する端に排水スイッチ５が設けられ、動力装置４の延出軸４１は延出して排水スイッチ５にタッチして排水弁３を開閉する。ここで、動力装置４はリニアアクチュエータである。このような構造により、円周回動を直線運動に変換することができる。
【００２６】
もちろん、排水弁は、内槽の底部に設けられ、一定の角度で傾斜して設けられてもよい。
【００２７】
上記排水弁３の開弁過程は以下のとおりである。
内槽１は回転し、動力装置４の延出軸４１は上へ延出し、排水弁３に被覆された排水スイッチ５が延出軸４１に接触する時、内槽１が依然として回転しているため、排水スイッチ５が延出軸４１によって押されて上へ移動して更に弁体３１を押す時、排水弁３が開かれる。排水弁を閉じる必要がある場合、内槽１は逆方向へ回転し、延出軸４１は再び排水スイッチ５に接触し、排水スイッチ５を押して上へ運動させ、弁体３１を落下させて排水弁３を閉じる。
【００２８】
上記排水スイッチ５は、シーソースイッチと構造が類似し、図３〜図５に示すように、排水スイッチ５はスイッチハウジング５１およびボタン本体５２を備え、前記ボタン本体５２は、タッチ部５３と、ボタン本体５２の前記排水弁３に接近する端に設けられ、排水弁３の弁体３１を押して内槽１の方向へ移動させるための押し柱５２１とを備える。押し柱５２１と弁体３１とをより良く嵌合させるために、押し柱５２１および弁体３１の下部または弁体３１全体は磁性材料で作製され、一実施例において、該磁性材料は磁石である。両者に吸引関係を形成させるために、押し柱５２１の弁体３１に接近する側の極性と弁体３１の押し柱５２１に接近する側の極性とが逆である。
【００２９】
図３に示すように、上記タッチ部５３は、作動部５３１および凹部５３２を含み、押し柱５２１および凹部５３２は排水スイッチ５の同じ側に位置する。図４に示すように、ここで、タッチ部５３はシーソー構造であり、作動部５３１および凹部５３２はいずれも三角形または楔形構造であり、両者の延出軸４１に接触する側面は円弧状側面であり、ここで、作動部５３１の延出４１軸に接触する円弧状側面の円弧中心は、内槽と逆の方向に指向し、凹部５３２の延出軸４１に接触する円弧状側面の円弧中心は、内槽と同じ方向に指向する。それと同時に、作動部５３１と凹部５３２との交差箇所は該タッチ部の最高点である。作動部５３１および凹部５３２の延出軸４１に接触する側面を円弧状側面に設置し、このような構造により、排水スイッチ５が延出軸４１によって開閉されることは確保できる。それと同時に、凹部５３２がスイッチハウジング５１内に滑り込むことが確保できる。
【００３０】
一実施例において、作動部５３１の凹部５３２に接近する端は開弁接点であり、凹部５３２から離れた端は閉弁接点であり、排水スイッチ５は、排水弁３の閉じられた状態でボタン本体５２が開弁接点を突出させ、閉弁接点を凹ませることを実現できる弾性部材（図示せず）を更に備える。
【００３１】
タッチ部とボタン本体とは一体構造であり、ボタン本体５２はスイッチハウジング５１に回動可能に連結される。
【００３２】
図２、図４、図５および図６に示すように、上記排水弁３は、弁ハウジング３２と、弁ハウジング３２内に設けられた弁体３１と、ばね３３とを備え、弁体３１の側壁に、弁体と弁ハウジングとの間の密封を実現して水漏れの現れを防止するための密封溝３１１が設けられる。密封溝３１１内にシールリング６が設けられ、弁体３１の頂部はばね３３の第１の端に当接され、ばね３３の第２の端は弁ハウジング３２の内槽排水孔１１に接近する端に当接される。弁ハウジング３２の内槽排水孔１１に接近する端に、弁ハウジング３２とばね３３とを当接させることができるストップリング３２２が設けられる。上記構造は、該排水弁３が逆止弁であると理解され得る。
【００３３】
図５に示すように、シールリング６はＯリングである。ここで、Ｏリングは普遍的に使用され、コストが高くならない。それと同時に、排水弁が閉じられた場合により良く密封されるように、弁ハウジング３２の内側壁に、シールリング６に対応した第３の傾斜側壁３２１が設けられる。
【００３４】
一実施例において、シールリング６の弁ハウジング３２に接触する側壁は円弧状（図７参照）であり、密封溝３１１内に入った部分は矩形であり、弁ハウジング３２の内側壁は、シールリング６の円弧状側壁に対応した第３の傾斜側壁３２１である。シールリング６の弁ハウジング３２に接触する側壁を円弧状構造に設置することにより、該シールリング６は排水弁３の閉じられた時に押圧されて変形し、該シールリング６の側壁と弁ハウジング３２の第３の傾斜側壁とを完全に密着させ、良好な密封性を保持することができる。
【００３５】
排水速度を速めるために、スイッチハウジング５１の側壁に流水孔５１１が更に設けられる。ここで、流水孔５１１は、内槽１の回転方向と同じ方向に沿うスイッチハウジング５１の側壁に設けられてもよく、このようにすると、水流速度を比較的速くすることができる。
【００３６】
該内槽が無孔内槽であるため、衣類の脱水過程において水はタイムリーに排出できず、該問題を解決するために、本実施例において、内槽１に、最高水位線の上方に脱水孔１２が更に設けられる。内槽の回転過程において、衣類に存在する水は高速に振り切られ、且つ逆テーパを呈し、脱水孔１２を介して内槽１から流出し、脱水動作を実現することができる。
【００３７】
上記洗濯機の排水過程は以下のとおりである。
【００３８】
回転モータ８１は内槽１を駆動して時計回りに回転させるとともに、動力装置４の延出軸４１は延出し、延出軸４１が排水スイッチ５のタッチ部５３に接触すると、延出し続けて作動部５３１に接触し、更に作動部５３１に当接し、内槽１が回転しているため、作動部５３１がスイッチハウジング５１内へ移動するように押圧され、押し柱５２１はスイッチハウジング５１に伴って移動し、弁体３１を押して内槽槽内の方向へ移動させ、弁体３１が移動中にばね３３を押して圧縮させ、押し柱５２１と弁体３１とが互いに吸引されて吸引関係を形成するため、ばね３３の下向きの復元力は押し柱５２１の上向きの付勢力よりも小さくなり、この時、排水弁３は開かれ、動力装置４の延出軸４１は延出を停止する。
【００３９】
排水が完了した後に、回転モータ８１は内槽１を駆動して反時計回りに回転するとともに、動力装置４の延出軸４１は延出し、延出軸４１が排水スイッチ５のタッチ部５３に接触すると、タッチ部５３の一端が浮き上がって更にスイッチハウジング５１との間に流水孔が形成されるため、回転モータ８１が反時計回りに回転する時、延出軸４１はタッチ部５３を元の位置に戻し、更に排水スイッチ５を閉じることができる。
【００４０】
内槽１および外槽２は洗濯機ハウジング７内に設けられ、洗濯機ハウジング７の上方にディスクベース７１および上蓋７２が設けられ、下部にシャーシ７３および支持脚７４が設けられ、内槽１内にパルセータ８が設けられ、内槽１の内壁に１つまたは複数のリントフィルタ９が設けられる。
【００４１】
上記洗濯機はパルセータ式洗濯機またはドラム式洗濯機であってもよい。
【００４２】
本実施例の排水スイッチがロッカースイッチであるため、ロッカースイッチは寿命が長くて安全で確実であり、５万回以上開閉できる。洗濯機には１回洗濯２回濯ぎというプログラムがインストールされ、１回の洗濯に前記排水スイッチ５を合計３回開閉する。ユーザごとに洗濯機が１週間に３回使用されるとすると、１年間の開閉回数は約３２８５回であり、このような空間分離式の急速開閉の逆止弁は、少なくとも１５年使用できる。寿命は洗濯機に対する要求を完全に満たす。
【００４３】
本実施例に係る洗濯機は、内槽１に１つのみの内槽排水孔１１が設けられ、且つ、内槽排水孔１に排水弁３が設けられるため、排水弁３が閉じられた場合、内槽１内の水は外槽２に流入することができず、更に、汚れ、洗剤等が内、外槽壁に残ることを回避し、細菌の増殖を防止することができる。それと同時に、内槽１内の水が外槽２に流入することができず、洗濯用の水量を効果的に減少し、水資源を節約することができる。動力装置の延出軸が排水スイッチにタッチすると排水弁３を開閉することができるため、排水弁３と動力装置４とは連結関係がなくてもよく、排水弁３を位置決めしなくても排水弁３の開閉を実現できる。外槽排水孔２１が外槽２の底部に設けられるため、排水弁３を通過した水は外槽２の底部に集まり、内槽１と外槽２とで形成された空間内に充満して汚れを槽壁に堆積させるという問題がなく、洗濯過程において内槽１と外槽との間に水がないため、内槽１内の水は外槽の底部に堆積された汚れにより汚染されない。
【００４４】
実施例２
本実施例において、実施例１との異なる点は以下のとおりである。
【００４５】
図８〜図９に示すように、本実施例において、排水弁３が内槽１の側壁に設けられ、動力装置が外槽２の側壁に設けられるが、内槽排水孔２１は依然として外槽２の底部に設けられるとともに、排水弁３の弁体の底部は内槽１の底部と面一になり、このように、内槽内の水が全て排出されることが確保され、内槽１内に残った洗濯水が残留することを防止できることを注意すべきである。
【産業上の利用可能性】
【００４６】
本発明の洗濯機は、汚れ、洗剤等が槽壁に残ることを回避し、細菌の増殖を防止することができ、洗濯用の水量を効果的に減少し、水資源を節約することができ、排水弁を位置決めしなくても排水弁の開閉を実現できる。
【図１】
2020513949.tif 000003
【図２】
2020513949.tif 000004
【図３】
2020513949.tif 000005
【図４】
2020513949.tif 000006
【図５】
2020513949.tif 000007
【図６】
2020513949.tif 000008
【図７】
2020513949.tif 000009
【図８】
2020513949.tif 000010
【図９】
2020513949.tif 000011
【国際調査報告】
2020513949.tif 000012
2020513949.tif 000013
2020513949.tif 000014
2020513949.tif 000015
2020513949.tif 000016
2020513949.tif 000017